(57)【要約】【課題】寝具およびマッサージ機として使い分けるときの取り扱いが比較的容易なマッサージ装置を提供する。【解決手段】マット本体１１の端部に、姿勢を反転可能なマッサージユニット１２を連結する。前記ユニット１２の底面を平坦面１２ａとし、その上面をマッサージ手段２２によるマッサージ面１２ｂとする。前記ユニット１２は、その平坦面１２ａをマット本体１１の平坦面１１ａと一致する姿勢で、このマッサージユニット１２とマット本体１１とを連続させて寝具のために一様に平坦なマット平面Ａを形成する。前記ユニット１２の平坦面１２ａをマット本体１１の平坦面１１ａ上に乗せるように、前記ユニット１２の姿勢を反転させることにより、マッサージ面１２ｂをマット本体１１の表面１１ａ上に位置させることができる。【選択図】  図１
2004254724.tif 000002
【特許請求の範囲】
【請求項１】
マット本体と、該マット本体の一端に連結されかつ当該連結部を支点にして反転可能なマッサージユニットとを備え、該マッサージユニットの底面は前記マット本体の上面とほぼ面一となる平坦面であり、前記マッサージユニットにはマッサージ手段が設けられ、前記マッサージユニットを前記連結部を支点として反転させて前記マッサージユニットの前記底面が前記マット本体の前記上面に乗せられるようにしたことを特徴とするマッサージ装置。
【請求項２】
前記マッサージユニットは前記マット本体に着脱自在に取り付けられている請求項１に記載のマッサージ装置。
【請求項３】
前記マッサージユニットは、脚部を受け入れるための一対の凹状溝と、該各凹状溝の相対向する内側面の少なくとも一方または底面に設けられた前記マッサージ手段とを有し、該マッサージ手段はエアーの吸排気によって膨張および収縮するエアーバックであることを特徴とする請求項１または２に記載のマッサージ装置。
【発明の詳細な説明】
【０００１】
【発明の属する技術分野】
本発明は、マッサージを行わないときに寝具として好適に使用できるマッサージ装置に関する。
【０００２】
【従来の技術】
従来のマッサージ装置の一つに、マットに人型の凹部を形成し、この凹部の側壁面にエアーバックを配置したものがある（例えば、特許文献１参照。）。
【０００３】
この従来技術によれば、マットに形成された凹部で体の各部を確実に保持することができ、この凹部の側壁面に設けられたエアーバックの膨張、収縮に伴う押圧、弛緩作用によって、凹部に保持された各部位に効果的にマッサージを施すことができる。
【０００４】
また、マットの凹部に埋め込みパッドを装着し、該埋め込みパッドによりマットの凹部を埋め込むことにより、平坦なマット面を形成することができるので、寝具として好適に使用することができる。
【０００５】
【特許文献１】
特開平１１−３１９０１０号公報（第３−６頁、図１−図４）
【０００６】
【発明が解決しようとする課題】
しかしながら、寝具として利用するためには、マットに形成された凹部に埋め込みパッドを装着する必要があり、またマッサージ装置として使用するためには、この埋め込みパッドを取り外す必要があり、埋め込みパッドの着脱に手間取るばかりでなく、マットから取り外された埋め込みパッドを紛失しないようにこれを管理する必要がある。
【０００７】
そこで、本発明の目的は、寝具として好適に利用することができ、しかも寝具およびマッサージ機として使い分けるときの取り扱いが比較的容易なマッサージ装置を提供することにある。
【０００８】
【課題を解決するための手段】
本発明は、マット本体と、該マット本体の一端に連結されかつ当該連結部を支点にして反転可能なマッサージユニットとを備え、該マッサージユニットの底面は前記マット本体の上面とほぼ面一となる平坦面であり、前記マッサージユニットにはマッサージ手段が設けられ、前記マッサージユニットを前記連結部を支点として反転させて前記マッサージユニットの前記底面が前記マット本体の前記上面に乗せられるようにしたことを特徴とする。
【０００９】
本発明に係るマッサージ装置では、マット本体に連結されたマッサージユニットをその底面である平坦面がマット本体の平坦な上面と一致する姿勢で使用することにより、このマッサージユニットとマット本体とを連続させて一様に平坦なマット面を有する寝具が提供される。
【００１０】
また、マット本体に連結されたマッサージユニットの姿勢を反転させ、該マッサージユニットの平坦面をマット本体の平坦面上に乗せることにより、マッサージユニットに設けられたマッサージ面をマット本体上に位置させることができ、前記マット本体に体を横たえた状態でその一部をマッサージユニット上に乗せることにより、局部的なマッサージが可能となる。
【００１１】
従って、マッサージユニットをマット本体から取り外したりあるいは取り外されたマッサージユニットをマット本体に装着したりすることなく、単に、マット本体に連結されたマッサージユニットの姿勢を反転操作することで、寝具およびマッサージ機として使い分けることができ、しかもマッサージユニットがマット本体に連結されているので、マッサージユニットの紛失を防止するための格別な管理が不要となるので、寝具およびマッサージ機として使い分けるときの取り扱いが従来に比較して容易となる。
【００１２】
【発明の実施の形態】
以下、本発明を図示の実施の形態に沿って詳細に説明する。
【００１３】
本発明に係るマッサージ装置１０は、図１（ａ）および図１（ｂ）に示すように、マット本体１１と、該マット本体に連結された脚部用マッサージユニット１２とを備え、図１（ａ）に示すように、マット本体１１とマッサージユニット１２とで構成される平坦な矩形のマット面Ａを提供する寝具の形態と、図１（ｂ）に示すようなマッサージユニット１２を使用するマッサージ形態とを選択して使用することができる。
【００１４】
マット本体１１は、図２に示すように、通気性を有する例えば発泡ウレタンフォームのような発泡体１３と、複数のエアーバック１４と、発泡体１３を覆う例えば布袋からなるカバー１５とを備える。
【００１５】
発泡体１３は、全体に矩形のマット床部１３ａと、該床部に接合された表層部１３ｂとからなり、このマット床部１３ａと表層部１３ｂとの間に、多数のエアーバック１４が発泡体１３の中央部で該発泡体の長手方向に整列して配置されている。
【００１６】
マット本体１１の一端部には、その端面に開放するコの字状の凹所１６が形成されている。また、マット本体１１の凹所１６の両側に位置する各隅部には凹部１８が形成され、一方の凹部１８にはエアーバック１４を作動させるための駆動部１７ａが配置され、他方の凹部１８には該駆動部を制御する制御回路部１７ｂが配置されている。駆動部１７ａには、図示しないが、従来よく知られたポンプ、該ポンプからの空気を各エアーバック１４に分配する分配器、前記ポンプおよび分配器の動作を制御する制御機構が設けられている。
【００１７】
前記分配器を経て空気を各エアーバック１４に供給するための複数の空気ホース１９が、駆動部１７ａからエアーバック１４のそれぞれに伸びる。駆動部１７ａの前記制御機構に接続されるリモートコントローラ装置（図示せず）に設けられた操作部を操作することにより、前記分配器を経て、各エアーバック１４に空気を供給することができる。
【００１８】
このエアーバック１４への空気の供給により、従来のマッサージ装置におけると同様に、例えばエアーバック１４を順次膨張させることができる。膨張されたエアーバック１４は、前記分配器により大気に開放されるようになっており、これにより、順次収縮する。このポンプおよび分配器を備える給排気機構の動作により、整列して配置されたエアーバック１４が連続的に順次膨張、収縮動作を繰り返す。
【００１９】
前記吸排気機構の停止時には各エアーバック１４が収縮状態に保持されることから、マット本体１１の表面１１ａは、図１（ａ）に示すように、平坦に保持される。
【００２０】
マット本体１１の各凹部１８に収容された駆動部１７ａおよび制御回路部１７ｂは、図３に示すように、マット本体１１の裏面１１ｂの側に配置された例えばポリプロピレンのような合成樹脂から成る結合板２０により、マット本体１１に確実に固定されている。
【００２１】
マッサージユニット１２は、図４に示すように、マット本体１１におけると同様な発泡体から成るブロック２１と、該ブロックに設けられるマッサージ手段２２と、これらを覆って配置される布袋状のカバー２３とを備える。
【００２２】
ブロック２１は、マット本体１１の凹所１６内に収容されるように、該凹所にほぼ等しい外形寸法を有する。ブロック２１は、平坦な底面２１ａと、該底面の反対側に位置する上面２１ｂとを備える。この上面２１ｂには、その前縁から後縁へ向けて互いに平行に伸びる一対の凹状溝２４が形成されている。
【００２３】
図４に示す例では、凹状溝２４は、該溝の伸長方向と直角な断面で見て、互いに対向する一対の直立側壁２４ａと両直立側壁２４ａの底部を連結する円弧状の底壁２４ｂとで規定されるほぼＵ字状の横断面形状を有する。
【００２４】
各凹状溝２４内には、エアーバック２５が配置されている。エアーバック２５は、凹状溝２４内でその一対の直立側壁２４ａの内面に沿って配置されている。
【００２５】
各エアーバック２５は、ブロック２１に設けられた空気接続口２６に連通する空気ホース２７にそれぞれ接続されている。空気接続口２６には、図２ないし図４に示すように、駆動部１７ａの前記分配器から伸びる接続ホース２８が接続されている。接続ホース２８は例えば蛇腹構造を有し、これにより可撓性および伸縮性を与えられている。マッサージユニット１２の各エアーバック２５は、接続ホース２８を経て、マット本体１１のエアーバック１４におけると同様に、駆動部１７ａに設けられた前記分配器を経て加圧空気の供給を受け、また大気に開放可能である。
【００２６】
従って、駆動部１７ａに接続された前記コントローラ装置の前記操作部の操作により、各凹状溝２４に設けられた一対のエアーバック２５に空気を供給して該エアーバックを膨張させ、またエアーバック２５を大気に開放してこの一対のエアーバック２５を収縮させることができる。
【００２７】
マッサージユニット１２は、図１（ａ）に示すように、そのブロック２１の底面２１ａに対応する平坦な底面１２ａがマット本体１１の表層部１３ｂに対応する表面１１ａと一致する姿勢で、該マット本体の凹所１６内に収容可能である。マッサージユニット１２は、この凹所１６内に収容された姿勢で、図１（ａ）に示すように、マット本体１１のカバー１５とマッサージユニット１２のカバー２３とを取り外し可能に結合する例えばファスナのような結合手段２９を介してマット本体１１に結合されている。
【００２８】
ファスナ２９を介してマット本体１１に結合されたマッサージユニット１２は、図１（ａ）に示す凹所１６内への収容姿勢で、マット本体１１内のエアーバック１４が非作動状態では平坦に維持されるマット本体１１の表面１１ａと共同して全体に矩形の広いマット面Ａを形成する。
【００２９】
また、ファスナ２９は、該ファスナを支点として、マッサージユニット１２の姿勢の反転を許す。このマッサージユニット１２の姿勢の反転により、図１（ｂ）に示すように、マッサージユニット１２の平坦面１２ａをマット本体１１の表面１１ａ上に乗せることができる。このマッサージユニット１２の姿勢の反転により、マッサージ手段２２が組み込まれたマッサージ面１２ｂが上方に向くように、マッサージユニット１２をマット本体１１上に突出させて位置させることができる。
【００３０】
ファスナ２９に代えて、例えば面ファスナ、その他の結合手段を用いることができる。
【００３１】
本発明に係るマッサージ装置１０を用いて全身にマッサージを受けようとするとき、図１（ｂ）に示すように、マッサージユニット１２は、マッサージ手段２２が組み込まれたマッサージ面１２ｂが上になるように、図１（ａ）に示す姿勢から反転され、これによりマッサージユニット１２はマット本体１１の表面１１ａ上に設置される。
【００３２】
この状態で、マッサージを受ける者は、その頭部をマッサージユニット１２と反対側に位置させ、またそのふくらはぎをマッサージユニット１２の一対の凹部２４内に位置させるように、マット本体１１の表面１１ａ上に仰向けに横たわる。
【００３３】
その後、前記コントローラ装置の操作部を操作することにより、マット本体１１の各エアバック１４およびマッサージユニット１２の各エアバック２５が膨張および収縮動作を反復するように、各エアバック１４および２５を作動させることができる。マット本体１１のエアーバック１４の膨張、収縮動作により、脚部を除く各部が指圧マッサージを受け、マッサージユニット１２のエアーバック２５の膨張、収縮動作により、脚部（ふくらはぎ）がその両側から指圧あるいは揉みほぐしのマッサージを受ける。
【００３４】
前記操作部の操作により、マット本体１１の各エアーバック１４およびマッサージユニット１２の各エアーバック２５のいずれか一方を選択的に作動させることができ、これにより脚部あるいは脚部を除く部位のいずれか一方に選択的にマッサージを施すことができる。
【００３５】
また、マッサージユニット１２の凹状溝２４の両直立側壁２４ａにエアーバック２５が配置されており、このエアーバック２５の膨張および収縮動作の反復により、各ふくらはぎをその両側から挟み込むように押圧、弛緩を繰り返すことができ、これにより、ふくらはぎを効果的に揉みほぐすことができる。
【００３６】
前記マッサージ装置１０を寝具として使用するとき、マッサージユニット１２が図１（ｂ）のマッサージ姿勢から図１（ａ）の収容姿勢へ向けてファスナ２９の回りに回転操作される。この回転操作により、マッサージユニット１２がマット本体１１の凹所１６内に収容される。このマッサージユニット１２の姿勢の反転により、マット本体１１の平坦な表面１１ａ上からマッサージユニット１２による凸部が除去され、逆に該マッサージユニット１２の平坦面１２ａがマット本体１１の平坦面１１ａに連続することから、前記したように、寝具に適した広い平坦なマット面Ａが形成される。もちろん、図１（ａ）の使用形態においても、マット本体１１の各エアーバック１４を作動させることにより、マッサージを受けることができる。
【００３７】
このように、本発明に係る前記マッサージ装置１０では、マット本体１１に連結されたマッサージユニット１２を図１（ａ）に示した収容姿勢で使用することにより、マッサージユニット１２の平坦面である底面１２ａをマット本体１１の平坦面である表面１１ａと一致させて両者１２ａおよび１１ａにより、一様に平坦なマット面Ａを形成することができ、これにより寝具として好適に使用することができる。
【００３８】
また、マッサージユニット１２の姿勢を反転させ、図１（ｂ）に示すマッサージ姿勢で使用することにより、該マッサージユニット１２による脚部への局部的なマッサージが可能となる。
【００３９】
従って、マッサージユニット１２をマット本体１１から取り外したりまたマット本体１１に装着したりすることなく、単に、マット本体１１に連結されたマッサージユニット１２の姿勢を反転操作させることで、寝具およびマッサージ装置として使い分けることができ、しかもマッサージユニット１２の紛失を防止するための格別な管理が不要となるので、寝具およびマッサージ装置として使い分けるときの取り扱いが従来に比較して容易となる。
【００４０】
また、マッサージユニット１２の各凹状溝２４の互いに対向する内側面である直立側壁２４ａに一対のエアーバック２５を設け、この凹所１６内に挿入された部位をその両側からもみほぐすことにより、確実かつ効果的にマッサージを行うことができる。各凹状溝２４の互いに対応する内側面である直立側壁２４ａに設けられた一対のエアーバック２５のうちのいずれか一方を不要にすることができるが、各脚部をその両側から効果的に揉みほぐすために、前記したとおり、各凹状溝２４毎に相互に対向する一対のエアーバック２５を設けることが望ましい。また、凹状溝２４の底面にエアーバック２５を設けることができる。
【００４１】
前記したところでは、マッサージユニット１２をファスナ２９を介してマット本体１１に取り外し可能に連結したが、マッサージユニット１２を姿勢の回転が可能なように例えばカバー１４および２３の縫合により、固定的にマット本体１１に連結することができる。しかしながら、マッサージユニット１２をマット本体１１から取り外し、接続ホース２８の伸縮許容範囲でマット本体１１上の所望位置にマッサージユニット１２の位置調整を可能とする上で、図示のとおり、取り外し可能とすることが望ましい。これにより身長の大小に応じてあるいはふくらはぎ以外の所望の部位へのマッサージのために、マット本体１１の表面１１ａ上でマッサージユニット１２の位置を調整することができる。
【００４２】
また、前記した実施の形態では、ふくらはぎのマッサージのためのマッサージユニット１２が設けられた例を示したが、この脚部用マッサージユニット１２に代えて、例えばマット本体１１の両側に腕のマッサージのための一対のマッサージユニットを設けることができる。
【００４３】
また、マッサージユニットをエアーバックが組み込まれていないマット本体に連結することができ、これによりふくらはぎのような局部用マッサージ装置および寝具の形態を選択できる構成とすることができる。
【００４４】
さらに、マッサージ手段として、エアーバック以外の加圧空気により作動する各種の指圧機構あるいは揉みほぐし機構を採用することができる。
【００４５】
【発明の効果】
本発明によれば、前記したように、単に、マット本体に連結されたマッサージユニットの姿勢を反転操作させることで、寝具およびマッサージ機として使い分けることができ、しかもマッサージユニットの紛失を防止するための格別な管理が不要となるので、寝具およびマッサージ機として使い分けるときの取り扱いが従来に比較して容易となる。
【図面の簡単な説明】
【図１】図１（ａ）は、本発明に係るマッサージ装置が寝具として使用されている状態の外観を示す斜視図であり、図１（ｂ）は前記マッサージ装置がマッサージ機として使用されている状態の外観を示す斜視図である。
【図２】図１（ａ）に示した状態にあるマッサージ装置をマット本体の表面側から見た内部構造を示す部分断面図である。
【図３】図１（ａ）に示した状態にあるマッサージ装置をマット本体の裏面側から見た内部構造を示す部分断面図である。
【図４】本発明に係るマッサージ装置のマッサージユニットの内部構造をその一部を破断して示す斜視図である。
【符号の説明】
１０  マッサージ装置
１１  マット本体
１１ａ  （マット本体の平坦面）表面
１２  マッサージユニット
１２ａ  マッサージユニットの底面
１２ｂ  マッサージユニットの上面（マッサージ面）
１４、２５  エアーバック
２２（２４、２５）  マッサージ手段
２４  凹状溝
２４ａ  （互いに対向する内側面）直立側壁
【図１】
2004254724.tif 000003
【図２】
2004254724.tif 000004
【図３】
2004254724.tif 000005
【図４】
2004254724.tif 000006